(57)【特許請求の範囲】
【請求項１】
外周部に羽根を有するとともに軸方向の一端側に開口を有し、開口側に配置された支持部材に回転軸を介して回転自在に支持される円筒状のロータと、
該ロータの内周面に配置されるロータマグネットと、
前記ロータの内部に前記ロータマグネットに対向する状態に配置されて前記支持部材に固定され、ロータマグネットと協働してロータを回転駆動するステータと、
前記ステータの軸方向の一端側に配置されて前記支持部材に固定され、前記ロータの回転駆動を制御する回路基板と、
前記回路基板および前記ロータの開口を覆って配置されてロータに接合され、ロータと一体に回転するカバーと、
前記ロータと前記カバーとの接合部に設けられる気流発生手段と、
該気流発生手段によって発生する気流を前記ロータの内部から外部に排出する排出経路と、
を備えることを特徴とする送風機。
【請求項２】
前記気流発生手段は前記カバーの外周部に形成されていることを特徴とする請求項１に記載の送風機。
【請求項３】
前記気流発生手段は前記ロータの内周部に形成されていることを特徴とする請求項１に記載の送風機。
【請求項４】
前記排出経路は前記ロータの軸方向に向かって開口していることを特徴とする請求項１〜３のいずれかに記載の送風機。
【請求項５】
前記排出経路は前記ロータの径方向に向かって開口していることを特徴とする請求項１〜３のいずれかに記載の送風機。
【発明の詳細な説明】
【技術分野】
【０００１】
本発明は、モータで羽根車（羽根付きロータ）を回転させて空気を圧送する送風機に関する。
【背景技術】
【０００２】
この種の送風機として、エアコン内の塵埃を外部に排出するものが知られている（特許文献１）。同文献の送風機は、外周に羽根部を有し、軸方向の一端側が開口する回転可能な略円筒状のロータと、ロータの内周に配置されるロータマグネットと、ロータ内部に配置され、ロータマグネットとの組み合わせでモータを構成するステータと、ステータの軸方向の一端側に配置され、ロータの回転駆動を制御する回路基板とを備えた構造において、回路基板を覆ってロータの開口に面して基板カバーを配置し、この基板カバーとロータの開口端との間にラビリンスシールを設けて、モータが収容されるロータ内部への塵埃の侵入を抑え、塵埃によるモータロックを防止するものとしている。
【先行技術文献】
【特許文献】
【０００３】
【特許文献１】特開２００８−２３２０２４号公報
【発明の概要】
【発明が解決しようとする課題】
【０００４】
しかしながらラビリンスシールであっても微小な隙間は存在するため、微細な塵埃がロータ内部に侵入する可能性があり、また、一旦塵埃がロータ内部に侵入すると、それは排出されにくく、長期にわたってモータロックを防止する上では不十分な構造である。
【０００５】
本発明は上記事情に鑑みてなされたものであり、その主たる目的は、モータが収容されるロータ内部への塵埃の侵入を十分に防ぐことができ、モータロックを従来よりも効果的に防止することができる送風機を提供することにある。
【課題を解決するための手段】
【０００６】
本発明の送風機は、外周部に羽根を有するとともに軸方向の一端側に開口を有し、開口側に配置された支持部材に回転軸を介して回転自在に支持される円筒状のロータと、該ロータの内周面に配置されるロータマグネットと、前記ロータの内部に前記ロータマグネットに対向する状態に配置されて前記支持部材に固定され、ロータマグネットと協働してロータを回転駆動するステータと、前記ステータの軸方向の一端側に配置されて前記支持部材に固定され、前記ロータの回転駆動を制御する回路基板と、前記回路基板および前記ロータの開口を覆って配置されてロータに接合され、ロータと一体に回転するカバーと、前記ロータと前記カバーとの接合部に設けられる気流発生手段と、該気流発生手段によって発生する気流を前記ロータの内部から外部に排出する排出経路とを備えることを特徴とする。
【０００７】
本発明によれば、回路基板およびロータの開口を覆って配置されてロータに接合されるカバーによって、モータが収容されるロータ内部への塵埃の侵入を抑えることができる。また、カバーがロータとともに回転すると気流発生手段によってカバー内の空気が排出経路を経て外部に排出される気流が発生するため、この気流によってカバー内部、ひいてはロータ内部への塵埃の侵入が一層抑えられるとともに、ロータ内部からの塵埃の排出を可能とする。これらの結果、モータロックを従来よりも効果的に防止することができる。
【０００８】
本発明の気流発生手段は、カバーの外周部、あるいはロータの内周部に形成されていることを特徴とする。
【０００９】
また、本発明の排出経路は、ロータの軸方向、あるいはロータの径方向に向かって開口していることを特徴とする。
【発明の効果】
【００１０】
本発明によれば、モータが収容されるロータ内部への塵埃の侵入を十分に防ぐことができ、モータロックを従来よりも効果的に防止することができる送風機が提供されるといった効果を奏する。
【図面の簡単な説明】
【００１１】
【図１】本発明の一実施形態に係る送風機を示す断面図である。
【図２】一実施形態の送風機が備えるカバーを上から見た状態の斜視図である。
【図３】一実施形態の送風機の一部断面図である。
【図４】一実施形態の送風機のカバーを換えた変更例の一部断面図である。
【図５】図４で示したカバーを上から見た状態の斜視図である。
【発明を実施するための形態】
【００１２】
以下、本発明の一実施形態を図面を参照して説明する。
図１は、一実施形態に係る送風機１がケース１００によって形成された送風経路１０１内に設置された状態を示している。図１で符号１０は軸方向が図中上下方向に沿って配置された軸受支持部である。軸受支持部１０は、円筒部１１の下端にフランジ部１２が形成されたもので、フランジ部１２がケース１００の底部に固定されている。円筒部１１には上方から挿入された回転軸１５が上下のベアリング１６を介して回転自在に支持されており、この回転軸１５の上端には、下側に開口２１を有する円筒状のロータ２０が同心状に固定されている。
【００１３】
ロータ２０は、円筒状のロータカップ２２と、ロータカップ２２の内面に固着されたロータホルダ２３とから構成される。ロータホルダ２３の内周面には、ロータマグネット２５が固着されている。ロータ２０は、ロータホルダ２３の中心に形成されたボス部２３ａが回転軸１５の上端に嵌合して固定されることにより、回転軸１５と一体回転する。ロータカップ２２の外周部には羽根２９が形成されている。
【００１４】
ロータ２０の内部であって軸受支持部１０の円筒部１１の外周面には、ステータ３０が、ロータマグネット２５と隙間をおいて対向する状態に配置されて固定されている。ステータ３０とロータマグネット２５との組み合わせにより、ロータ２０を回転駆動するモータ３５が構成される。また、ステータ３０の下側には、ロータ２０の回転駆動を制御する回路基板４０が配置されている。回路基板４０はロータ２０の開口２１の内側に配置され、ステータ３０を介して軸受支持部１０に固定されている。
【００１５】
ロータカップ２２の開口縁２２ａの内側には、回路基板４０とともにロータ２０の開口２１を覆う円板状のカバー５０Ａが接合されている。カバー５０Ａは、図２に示すように、円板部５１と、円板部５１の上方に同心状に形成されるリング部５３と、円板部５１とリング部５３とを連結する複数のフィン５４とを備えている。
【００１６】
フィン５４は、上方から下方に向かうにしたがってカバー５０Ａの外周方向に拡幅し、かつ、一周方向（矢印Ａで示す）側、かつ、下方に向かって湾曲する三角形状の板片であり、カバー５０Ａの外周部にあたる箇所に、周方向に等間隔をおいて配列されている。これらフィン５４の間には、矩形状の排気孔５５が形成されている。カバー５０Ａは、リング部５３がロータカップ２２の内周部に同心状に固定されている。
【００１７】
カバー５０Ａはロータ２０と一体に回転し、その回転中心である円板部５１の中心には、軸受支持部１０の円筒部１１が貫通し、円筒部１１との間に隙間を形成する円形孔５１ａが形成されている。
【００１８】
以上が本実施形態の送風機１の構成であり、この送風機１では、回路基板４０を介してステータ３０に電圧が印可されるとモータ３５が作動状態となってロータ２０が回転駆動され、ロータ２０と一体に回転する羽根２９の作用により、図１に示すように送風経路１０１を例えば矢印Ｂ方向の空気の流れが発生して空気がその方向に圧送される。
【００１９】
矢印Ｂの気流は羽根２９の作用による主流経路であり、送風機１を通過する空気の中には、送風機１の下方に流入してカバー５０Ａの下方を通過する矢印Ｃで示す副流経路を通るものもある。この副流経路を流れる空気に塵埃が混じっていると、モータ３５が収容されるロータ２０の内部にその塵埃が侵入してモータロックを招くというのが本発明の課題であった。しかしながら本実施形態によれば、カバー５０Ａによってロータ２０内に塵埃が侵入しにくくなっている。
【００２０】
また、カバー５０Ａはロータカップ２２とともに回転するが、回転中においてカバー５０Ａは図２の矢印Ｄ方向に回転するようになされており、このようにカバー５０Ａが回転するとカバー５０Ａの内部には、フィン５４の空気導出作用により、外周方向、かつ軸方向下方に向けて気流が発生する。この気流は、図１および図３の矢印Ｅで示す排出経路のように排気孔５５を通過して外周方向、かつ下方に流れ、さらにロータカップ２２の開口縁２２ａの内周部に当たって下方に排出されていく。
【００２１】
したがってこの気流が発生することにより副流経路を流れる空気に塵埃が混じっていたとしても、その塵埃はカバー５０Ａ内に侵入しにくく、また、排気孔５５から排出される気流によって塵埃がカバー５０Ａ内、ひいてはロータ２０内に侵入することが十分に防がれる。このため、モータロックを従来よりも効果的に防止することができる。
【００２２】
次に、図４および図５により、上記カバー５０Ａを変更した変更例を説明する。いずれの図も上記実施形態と同一の構成要素には同一の符号を付してある。
【００２３】
変更例で示すカバー５０Ｂは、上記フィン５４に換えてフィン５６が形成されている。この場合のフィン５６は、図５に示すように、内周方向に延び、かつ、径方向よりもロータ２０の回転方向（矢印Ｄで示す）側に向かって斜めに配置された矩形状の板片であり、カバー５０Ｂの内周部にあたる箇所に、周方向に等間隔をおいて配列されている。これらフィン５６の間には、矩形状の排気孔５５が形成されている。そしてカバー５０Ｂは、リング部５３がロータカップ２２の開口縁２２ａの下面に固定されている。
【００２４】
変更例のカバー５０Ｂによれば、ロータカップ２２とともに矢印Ｄ方向に回転し、このようにカバー５０Ｂが回転するとカバー５０Ｂの内部には、フィン５６の空気導出作用により、外周方向に向けて気流が発生する。この気流は、図１の矢印Ｆで示す排出経路のように排気孔５５を通過して径方向外側に流れ、カバー５０Ｂ外に排出されていく。
【００２５】
したがってこの気流が発生することにより副流経路を流れる空気に塵埃が混じっていたとしても、その塵埃はカバー５０Ｂ内に侵入しにくく、また、排気孔５５から排出される気流によって塵埃がカバー５０Ｂ内、ひいてはロータ２０内に侵入することが十分に防がれる。このため、先の実施形態と同様にモータロックを従来よりも効果的に防止することができる。
【００２６】
なお、上記実施形態では、ロータ２０内への塵埃の侵入を阻止するための気流発生手段（フィン５４，５６）をカバー（５０Ａ，５０Ｂ）に形成しているが、気流の排出経路をロータ２０の内部から外部に形成することができるものであれば、ロータ２０の内周部に形成してもよい。
【符号の説明】
【００２７】
１…送風機
１０…軸受支持部（支持部材）
１５…回転軸
２０…ロータ
２１…ロータの開口
２５…ロータマグネット
２９…羽根
３０…ステータ
３５…モータ
４０…回路基板
５０Ａ，５０Ｂ…カバー
５４，５６…フィン（気流発生手段）
Ｅ，Ｆ…排出経路
【図１】
0005744679.tif 000002
【図２】
0005744679.tif 000003
【図３】
0005744679.tif 000004
【図４】
0005744679.tif 000005
【図５】
0005744679.tif 000006